(57)【要約】【課題】粉薬や顆粒薬と錠剤やカプセルとを一緒に服用することを可能にする薬立てを兼ねた服薬器を提供すること。【解決手段】筒状の本体部２と、底板部３とを備えた服薬器１であって、本体部２が、薬剤収容部２１と、薬剤収容部２１から一方側に向けて漸次幅が狭くなるように形成した薬剤導出部２２とからなり、底板部３を、薬剤導出部２２の一方側に向けて漸次上げ底となるように形成する。【選択図】図１
0003191619.tif 000002
【実用新案登録請求の範囲】
【請求項１】
筒状の本体部と、底板部とを備え、前記本体部が、薬剤収容部と、薬剤収容部から一方側に向けて漸次幅が狭くなるように形成した薬剤導出部とからなり、前記底板部を、前記薬剤導出部の一方側に向けて漸次上げ底となるように形成してなることを特徴とする薬立てを兼ねた服薬器。
【請求項２】
本体部の薬剤導出部の上端部に面取りを施すとともに、該面取りの下端位置に底板部が位置するようにしたことを特徴とする請求項１記載の薬立てを兼ねた服薬器。
【考案の詳細な説明】
【技術分野】
【０００１】
本考案は、薬立てを兼ねた服薬器に関するものである。
【背景技術】
【０００２】
従来、病人等が服用する薬剤には、粉薬や顆粒薬については密封した小さな袋に分包したものが、また、錠剤やカプセルについてはＳＰ（ｓｔｒｉｐ  ｐａｃｋａｇｅ）包装やＰＴＰ（ｐｒｅｓｓ  ｔｈｒｏｕｇｈ  ｐａｃｋａｇｅ）包装したものが一般に用いられている。
【０００３】
そして、これらの薬剤は、粉薬や顆粒薬については分包された袋を開いて、また、錠剤やカプセルについては包装から１錠ずつ取り出して服用するため、多種類の薬剤を服用する必要のある病人等の場合には、薬剤を服用するのに手間がかかるという問題点があった。
【考案の概要】
【考案が解決しようとする課題】
【０００４】
本考案は、薬剤を服用する際の問題点に鑑み、粉薬や顆粒薬と錠剤やカプセルとを一緒に服用することを可能にする薬立てを兼ねた服薬器を提供することを目的とする。
【課題を解決するための手段】
【０００５】
上記目的を達成するため、本考案の薬立てを兼ねた服薬器は、筒状の本体部と、底板部とを備え、前記本体部が、薬剤収容部と、薬剤収容部から一方側に向けて漸次幅が狭くなるように形成した薬剤導出部とからなり、前記底板部を、前記薬剤導出部の一方側に向けて漸次上げ底となるように形成してなることを特徴とする。
【０００６】
この場合において、本体部の薬剤導出部の上端部に面取りを施すとともに、該面取りの下端位置に底板部が位置するようにすることができる。
【考案の効果】
【０００７】
本考案の薬立てを兼ねた服薬器によれば、筒状の本体部と、底板部とを備え、前記本体部が、薬剤収容部と、薬剤収容部から一方側に向けて漸次幅が狭くなるように形成した薬剤導出部とからなり、前記底板部を、前記薬剤導出部の一方側に向けて漸次上げ底となるように形成してなることから、粉薬や顆粒薬については分包された袋を開いて、また、錠剤やカプセルについては包装から１錠ずつ取り出して、一旦、薬剤収容部に装入し、その後、服薬器を手に持って、薬剤導出部から粉薬や顆粒薬と錠剤やカプセルとを一緒に服用することができる。
そして、この薬立てを兼ねた服薬器は、上記の使用形態のほか、粉薬や顆粒薬が分包された袋を、袋を開いた状態で、服薬器に配置し、当該袋に、包装から１錠ずつ取り出した錠剤やカプセルを装入し、その後、袋を配置した服薬器を手に持って、袋から直接、粉薬や顆粒薬と錠剤やカプセルとを一緒に服用するようにすることもできる。
【０００８】
また、本体部の薬剤導出部の上端部に面取りを施すとともに、該面取りの下端位置に底板部が位置するようにすることにより、薬剤導出部から粉薬や顆粒薬と錠剤やカプセルとを一緒に安定して導出することができる。
また、粉薬や顆粒薬が分包された袋を、服薬器に配置する場合も、当該袋を安定して配置することができる。
【図面の簡単な説明】
【０００９】
【図１】本考案の薬立てを兼ねた服薬器の一実施例を示し、（ａ）は平面図、（ｂ）は正面図、（ｃ）は左側面図、（ｄ）は（ａ）のＸ−Ｘ断面図、（ｅ）は（ａ）のＹ−Ｙ断面図である。
【図２】粉薬や顆粒薬が分包された袋を服薬器に配置した使用形態を示す正面図である。
【考案を実施するための形態】
【００１０】
以下、本考案の薬立てを兼ねた服薬器の実施の形態を、図面に基づいて説明する。
【００１１】
図１に、本考案の薬立てを兼ねた服薬器の一実施例を示す。
この薬立てを兼ねた服薬器１は、筒状の本体部２と、底板部３とを備え、本体部２が、薬剤収容部２１と、薬剤収容部２１から一方側に向けて漸次幅が狭くなるように形成した薬剤導出部２２とからなり、底板部３を、薬剤導出部２２の一方側に向けて漸次上げ底となるように形成するようにしている。
【００１２】
この場合において、筒状の本体部２は、服薬器１を手に持ったときに保持しやすく、また、薬剤収容部２１に薬剤を容易に装入し、薬剤導出部２２から薬剤を安定して導出することができるように、平面形状を涙滴型（ティアドロップ型）に形成するようにしている。
なお、本体部２は、必ずしも、全体を筒状に形成する必要はなく、底板部３を設けた箇所よりも下方の部位は、省略して開放部とすることもできる。
【００１３】
また、底板部３は、薬剤収容部２１に所用量の薬剤を収容できるように、薬剤収容部２１においては、本体部２の下部位置に形成し、そして、薬剤導出部２２から薬剤を安定して導出することができるように、薬剤導出部２２の一方側に向けて漸次上げ底となるように、断面がＶ字状をなすように形成するようにしている。
【００１４】
そして、服薬器１は、本体部２の薬剤収容部２１及び薬剤導出部２２の上端部に面取りＣ１、Ｃ２を施すとともに、薬剤導出部２２の面取りＣ２の下端位置に底板部３が位置するようにしている。
【００１５】
また、服薬器１は、その下端縁に接地片４を外方に向けて延設するようにしている。
【００１６】
そして、この服薬器１は、合成樹脂製のシートやフィルム、硬質紙（ラミネート加工紙）を適宜組み合わせて接着や熱融着することにより得るようにしたり、合成樹脂材料を型成形することにより得るようにすることができる。
【００１７】
次に、この薬立てを兼ねた服薬器１の使用形態について説明する。
この服薬器１は、粉薬や顆粒薬については分包された袋を開いて、また、錠剤やカプセルについては包装から１錠ずつ取り出して、一旦、薬剤収容部２１に装入し、その後、服薬器１を手に持って、薬剤導出部２２から粉薬や顆粒薬と錠剤やカプセルとを一緒に服用することができる構造としている。
この場合、薬剤導出部２２の後方に薬剤収容部２１が存在するため、薬剤を服用する際に、息を吹いたり、咳き込んでも、薬剤が飛散することを防止することができる。
【００１８】
そして、この薬立てを兼ねた服薬器１は、薬剤を薬剤収容部２１に装入して使用する使用形態のほか、図２に示すように、粉薬や顆粒薬が分包された袋Ｐを、袋Ｐを開いた状態で、服薬器１に配置し、当該袋Ｐに、包装から１錠ずつ取り出した錠剤やカプセルを装入し、その後、袋Ｐを配置した服薬器１を手に持って、袋Ｐから直接、粉薬や顆粒薬と錠剤やカプセルとを一緒に服用するようにすることもできる。
【００１９】
また、本体部２の薬剤収容部２１の端部に面取りＣ１を施すことにより、薬剤収容部２１への薬剤の装入を容易に行うことができる。
また、本体部２の薬剤導出部２２の端部に面取りＣ２を施すとともに、この面取りＣ２の下端位置に底板部３が位置するようにすることにより、薬剤導出部２２から粉薬や顆粒薬と錠剤やカプセルとを一緒に、底板部３とこの底板部３の両側に壁状に位置する本体部２の薬剤導出部２２に案内するようにしながら、安定して導出することができる。
【００２０】
また、粉薬や顆粒薬が分包された袋Ｐを、服薬器１に配置する場合も、本体部２の薬剤収容部２１及び薬剤導出部２２の上端部に面取りＣ１、Ｃ２を施すことにより、袋Ｐを安定して配置することができる。
【００２１】
以上、本考案の薬立てを兼ねた服薬器について、その実施例に基づいて説明したが、本考案は上記実施例に記載した構成に限定されるものではなく、その趣旨を逸脱しない範囲において適宜その構成を変更することができるものである。
【産業上の利用可能性】
【００２２】
本考案の薬立てを兼ねた服薬器は、粉薬や顆粒薬と錠剤やカプセルとを一緒に服用することが可能であることから、多種類の薬剤を服用する必要のある病人等が服薬を行う際に好適に用いることができる。
【符号の説明】
【００２３】
１  服薬器
２  本体部
２１  薬剤収容部
２２  薬剤導出部
３  底板部
４  接地片
Ｃ１、Ｃ２  面取り
Ｐ  袋
【図１】
0003191619.tif 000003
【図２】
0003191619.tif 000004